(57)【要約】【課題】  内部発振回路による妨害波のレベル増大を回避し、チューナ間の相互干渉を排除できる分配回路およびチューナを提供する。【解決手段】  アンテナ２で受信したＴＶ放送波の高周波信号を増幅器１４１により増幅し、バルントランス１４２へ出力する。そして、増幅器１４１の出力をチューナ１へ供給する高周波信号と、チューナ２およびＴＶチューナへ供給する高周波信号とに２分配する。さらに、前記２分配された一方の信号であるチューナ２および前記ＴＶチューナへ供給する高周波信号を、バルントランス１４３によりチューナ２へ供給する高周波信号と、前記ＴＶチューナへ供給する高周波信号とに再分配する。このような増幅器１４１がアンテナ２の直後に挿入される構成にすることでチューナ１が備えている発振回路１４の発振による妨害波が増幅器１４１で増幅され他のチューナへ悪影響を及ぼすのを防止する。【選択図】図２
2007324875.tif 000002
【特許請求の範囲】
【請求項１】
アンテナで受信した放送波の高周波信号を分配し出力する分配回路であって、
前記アンテナで受信した放送波の高周波信号を増幅する増幅器と、
前記増幅器の出力に接続され、前記増幅器により増幅された前記高周波信号を２分配し出力する第１のバルントランスと、
前記第１のバルントランスの一方の出力に接続され、前記第１のバルントランスにより２分配された一方の高周波信号を再分配し出力する第２のバルントランスと、
を備えたことを特徴とする分配回路。
【請求項２】
前記第１のバルントランスの他方の出力に接続されたアッテネータ回路を備えたことを特徴とする請求項１記載の分配回路。
【請求項３】
アンテナで受信した放送波の高周波信号を分配する分配回路を有したチューナであって、
前記分配回路は、
前記アンテナで受信した放送波の高周波信号を増幅する増幅器と、
前記増幅器の出力に接続され、前記増幅器により増幅された前記高周波信号を２分配し出力する第１のバルントランスと、
前記第１のバルントランスの一方の出力に接続され、前記第１のバルントランスにより２分配された一方の高周波信号を再分配し出力する第２のバルントランスとを備え、
前記アンテナで受信した放送波の高周波信号を前記分配回路へ入力する入力端子、前記分配された高周波信号を出力する出力端子がチューナ側面に構成されていることを特徴とするチューナ。
【請求項４】
前記第１のバルントランスの他方の出力に接続されたアッテネータ回路を前記分配回路が備えていることを特徴とする請求項３記載のチューナ。
【発明の詳細な説明】
【技術分野】
【０００１】
本発明は、例えばＤＶＤレコーダに用いて好適な出力間の相互干渉を排除した信号分配を実現できる分配回路、および、その分配回路を用いたチューナに関する。
【背景技術】
【０００２】
従来のＤＶＤレコーダでは、同時に複数の放送を受信できる機能を備えており、所望の番組を視聴しながら、その番組の裏番組を同時に録画することが可能である。この機能は１台のＤＶＤレコーダで複数のチューナを搭載することで実現される。
このような裏番組が同時録画できるＤＶＤレコーダに搭載されているチューナは直方体の形態を有し、ケーブルによりチューナ間を接続するためのチューナ間接続用出力端子がチューナ上面に配置された構造となっている。
【０００３】
図５は、このような裏番組が同時録画できるＤＶＤレコーダに搭載されている従来の分配回路を備えたダブルチューナ構造の概要を示す説明図である。
裏番組が同時録画できるＤＶＤレコーダにはチューナ５１、５２の二台のチューナが搭載されている。チューナ５１には、アンテナ６１が接続される入力端子７１と、図示していないＴＶチューナが接続されるＴＶ用出力端子７２と、ケーブル９１によりチューナ５２のチューナ間接続用出力端子９２と接続するチューナ間接続用出力端子７３が備えられている。
入力端子７１とＴＶ用出力端子７２は、チューナ５１の左側面に突出した形態で配置されている。チューナ間接続用出力端子７３は、チューナ５１上面の左端部付近の発振回路８１から離れた位置に配置されている。
【０００４】
入力端子７１にはアンテナ６１で受信したＴＶ放送波の高周波信号が入力される。ＴＶ用出力端子７２には、アンテナ６１で受信した前記高周波信号が図示していないバルントランスを含む分配回路１０１により分配され出力される。このＴＶ用出力端子７２へ出力された高周波信号は、図示していないＴＶチューナへ供給される。チューナ間接続用出力端子７３には、アンテナ６１で受信した前記高周波信号が前記分配回路１０１により分配され出力される。このチューナ間接続用出力端子７３へ出力された高周波信号は他方のチューナ５２へ供給される。
【０００５】
このＤＶＤレコーダに搭載されたチューナ５１では、アンテナ６１で受信した前記高周波信号を、分配回路１０１の前記バルントランスにより、前記ＴＶチューナへ供給する高周波信号とチューナ５１、５２へ供給する高周波信号とに分配する。そして、チューナ５１、５２へ供給する高周波信号は、増幅器を経由させ、その出力をバルントランスを介してチューナ５１、５２へそれぞれ分配する。
【０００６】
このような複数のチューナを備え、１台の受信装置で複数の放送を受信できるものとして、第１のチューナが基板の一方の面に配置され、第２のチューナが前記基板の他方の面に配置されているチューナ装置がある（特許文献１参照）。
【０００７】
【特許文献１】特開２００２−１５２６１１号公報
【発明の開示】
【発明が解決しようとする課題】
【０００８】
したがって、従来の裏番組が同時録画できるＤＶＤレコーダに搭載されているチューナ５１の構成においては、チューナ間接続用出力端子７３が、チューナ５１上面に突出した形態で配置されていることから、ＤＶＤレコーダの高さが大きくなってしまい、製品の形態として高さが制限された薄型のものが求められている現状に対し不利になるという課題があった。
【０００９】
また、このような複数のチューナを搭載し複数の放送を受信できるチューナ装置においては、分配回路１０１により前記ＴＶチューナへ供給する高周波信号とチューナ５１、５２へ供給する高周波信号とに分配しているが、分配回路１０１により分配され出力される前記信号間の相互干渉の抑制対策が不十分であるという課題があった。
【００１０】
特にチューナ５１では内部に発振回路８１が構成されていることから、チューナ５１の発振回路８１の発振している信号がチューナ５２やＴＶチューナに干渉するなどの悪影響を及ぼし、これらチューナ５２やＴＶチューナにとって妨害波の信号元となり、映像にビートが発生するなどの問題がある。
このためチューナ５２と接続するためのチューナ５１のチューナ間接続用出力端子７３をチューナ５１上面の左端部付近の発振回路８１から離れた位置に配置することでこの問題を回避するようにしているが、前記妨害波による影響を排除するには対策として不十分であるという課題があった。
【００１１】
本発明は、このような事情に鑑みてなされたものであり、内部発振回路による妨害波のレベル増大を回避し、各チューナ間の相互干渉を排除できる分配回路、および、実装する際の高さ方向の省スペース化を図れる前記分配回路を備えたチューナを提供することを目的とする。
【課題を解決するための手段】
【００１２】
上述の目的を達成するため、本発明にかかる分配回路は、アンテナで受信した放送波の高周波信号を分配し出力する分配回路であって、前記アンテナで受信した放送波の高周波信号を増幅する増幅器と、前記増幅器の出力に接続され、前記増幅器により増幅された前記高周波信号を２分配し出力する第１のバルントランスと、前記第１のバルントランスの一方の出力に接続され、前記第１のバルントランスにより２分配された一方の高周波信号を再分配し出力する第２のバルントランスとを備えたことを特徴とする。
【００１３】
また、上述の目的を達成するため、本発明にかかるチューナは、アンテナで受信した放送波の高周波信号を分配する分配回路を有したチューナであって、前記分配回路は、前記アンテナで受信した放送波の高周波信号を増幅する増幅器と、前記増幅器の出力に接続され、前記増幅器により増幅された前記高周波信号を２分配し出力する第１のバルントランスと、前記第１のバルントランスの一方の出力に接続され、前記第１のバルントランスにより２分配された一方の高周波信号を再分配し出力する第２のバルントランスとを備え、前記アンテナで受信した放送波の高周波信号を前記分配回路へ入力する入力端子、前記分配された高周波信号を出力する出力端子がチューナ側面に構成されていることを特徴とする。
【発明の効果】
【００１４】
本発明によれば、アンテナで受信した放送波の高周波信号を増幅する増幅器が、第１のバルントランスおよび第２のバルントランスよりもアンテナ側に挿入されているため、チューナに備えられている内部発振回路による妨害波を前記増幅器が増幅し、妨害波のレベルを増大させてしまうという問題を回避でき、さらに、第１のバルントランスや第２のバルントランスにより分配され出力された高周波信号間の相互干渉を排除する上で有利となる。
また、ＴＶ受像機やＤＶＤレコーダを含むチューナ内蔵型の機器において、その高さや幅をコンパクト化する上で有利となる。
【発明を実施するための最良の形態】
【００１５】
図１は、本発明の実施の一形態である分配回路が用いられているダブルチューナ構造の概要を示す説明図である。
このダブルチューナ構造では、チューナ１には、アンテナ２が接続される入力端子１１と、図示していないＴＶチューナが接続されるＴＶ用出力端子１２と、チューナ２のチューナ間接続用出力端子２１と接続するチューナ間接続用出力端子１３が備えられている。
入力端子１１とＴＶ用出力端子１２は、チューナ１の左側面に突出した形態で配置されている。
チューナ間接続用出力端子１３は、チューナ１側面の左端部付近の発振回路１４から比較的離れた位置に配置されている。
【００１６】
入力端子１１にはアンテナ２で受信したＴＶ放送波の高周波信号が入力される。
このアンテナ２で受信した高周波信号は、分配回路４１によりチューナ１へ供給する高周波信号と、チューナ２および図示していないＴＶチューナへ供給する高周波信号とに分配される。
ＴＶ用出力端子１２には、前記ＴＶチューナへ供給する高周波信号が、アンテナ２で受信した前記高周波信号から前記分配回路４１により分配されて出力される。
チューナ間接続用出力端子１３には、チューナ２へ供給する前記高周波信号が、アンテナ２で受信した前記高周波信号から前記分配回路４１により分配されて出力される。
【００１７】
図２は、図１に示したチューナ１が備えている分配回路４１の構成を示す回路図である。
この分配回路４１は、増幅器１４１、バルントランス１４２、１４３を備えている。バルントランスは、周知のように高周波信号の平衡不平衡変換部品である。
アンテナ２が接続される入力端子１１へ増幅器１４１の入力が接続され、増幅器１４１の出力はバルントランス１４２の入力と接続されている。
バルントランス１４２は、増幅器１４１の出力を２分配し、増幅器１４１で増幅された高周波信号をチューナ１への信号と、チューナ２および図示していないＴＶチューナへの信号とに２分配し出力する。
バルントランス１４２の一方の出力はバルントランス１４３の一方の入力へ接続されている。バルントランス１４３の他方の入力はグランドへ接続されている。
バルントランス１４３は、バルントランス１４２により２分配された信号のうちの一方の信号であるチューナ２および前記ＴＶチューナへの信号を、チューナ２へ供給する信号と前記ＴＶチューナへ供給する信号とに分配する。
バルントランス１４３により分配されたチューナ２へ供給する信号はチューナ間接続用出力端子１３へ出力される。また、前記ＴＶチューナへ供給する信号はＴＶ用出力端子１２に出力される。
【００１８】
次に動作について説明する。
図２に示す分配回路４１では、アンテナ２で受信したＴＶ放送波の高周波信号は、先ず増幅器１４１により増幅され、バルントランス１４２へ出力される。
増幅器１４１の出力は不平衡信号であり、バルントランス１４２では、この不平衡信号を平衡信号へ変換し、チューナ１へ供給する高周波信号と、チューナ２および前記ＴＶチューナへ供給する高周波信号とに２分配する。
バルントランス１４２で２分配された一方の信号であるチューナ２および前記ＴＶチューナへ供給する高周波信号は、バルントランス１４３によりチューナ２へ供給する高周波信号と、前記ＴＶチューナへ供給する高周波信号とに分配される。
この分配回路４１の構成によれば、増幅器１４１がアンテナ２の直後、すなわちアンテナ２が接続される入力端子１１とバルントランス１４２との間に挿入されている。
この構成は、図５に示す従来のダブルチューナ構造に適用されている分配回路１０１の構成と異なっており、このような構成を採用することでチューナ１が備えている発振回路１４の発振による妨害波が増幅器１４１で増幅されてしまうのを防止している。
また、チューナ１が備えている発振回路１４による前記ＴＶチューナやチューナ２への妨害波、チューナ２が備えている発振回路による前記ＴＶチューナやチューナ１への妨害波などの相互干渉についても到達する妨害波のレベルは低いものとなる。
【００１９】
図３は、前記ＴＶチューナからチューナ１やチューナ２への妨害波のレベルを示す妨害波レベルダイヤグラムである。
図３において増幅器１４１の増幅度は２０ｄＢ、バルントランス１４２およびバルントランス１４３のアイソレーションは−１０ｄＢｍとしている。
図３に示すように、前記ＴＶチューナの発振回路によるチューナ２への妨害波のレベルは、バルントランス１４３により−１０ｄＢｍ低くなる。また、前記ＴＶチューナの発振回路によるチューナ１への妨害波のレベルはさらに−１０ｄＢｍ低くなる。
【００２０】
なお、図２に示す分配回路４１では、チューナ１へ入力される高周波信号のレベルと、チューナ２へ入力される高周波信号のレベルとは同一にはならず、チューナ１へ入力される高周波信号のレベルの方が大きくなる。
このためチューナ１へ供給される高周波信号を減衰させるためのアッテネータを用いることが出来る。
図４は、バルントランス１４２の出力へ挿入されたアッテネータ１５１を含む分配回路４１の構成を示す回路図である。図４において図２と同一または相当の部分については同一の符号を付し説明を省略する。
図４に示すように、アッテネータ１５１は、チューナ１へ供給する高周波信号が出力されるバルントランス１４２の出力へ挿入するか、またはチューナ１に構成する。この結果、チューナ１へ入力される高周波信号のレベルと、チューナ２へ入力される高周波信号のレベルとを同一にすることが可能である。アッテネータ１５１は、増幅器１４１の出力側に挿入されることになるため雑音指数への影響も少ない。
【００２１】
また、図１に示すように、チューナ間接続用出力端子１３は、チューナ１の側面の左端部付近の発振回路１４から比較的離れた位置に配置されているため、実装する際の高さ方向の省スペース化を実現できる。
【００２２】
以上説明したように、本実施の形態によれば、増幅器１４１が入力端子１１とバルントランス１４２との間に挿入され、アンテナ２で受信したＴＶ放送波の高周波信号をアンテナ２の直後で増幅する構成であり、増幅器１４１はバルントランス１４２およびバルントランス１４３よりもアンテナ２側に挿入されているため、チューナ１の発振回路１４による妨害波を増幅器１４１が増幅し、妨害波レベルを増大させてしまうという問題を回避でき、発振回路１４によるチューナ１、チューナ２さらに前記ＴＶチューナへの妨害波のレベルを抑制する上で有利となる。
また、各チューナへ分配され出力された信号間の相互干渉を排除できる分配回路を提供できる効果がある。
また、ダブルチューナ構造のＴＶ受像機やＤＶＤレコーダなどの高さや幅をコンパクト化する上で有利となる。
【図面の簡単な説明】
【００２３】
【図１】本発明の実施の一形態の分配回路が用いられているダブルチューナ構造の概要を示す説明図である。
【図２】本発明の実施の一形態の分配回路の構成を示す回路図である。
【図３】本発明の実施の一形態の分配回路が用いられているダブルチューナ構造において、ＴＶチューナから他のチューナへの妨害波のレベルを示す妨害波レベルダイヤグラムである。
【図４】本発明の実施の一形態のアッテネータを備えた分配回路の構成を示す回路図である。
【図５】従来の分配回路を備えたダブルチューナ構造の概要を示す説明図である。
【符号の説明】
【００２４】
１……チューナ、２……アンテナ、１１……入力端子、１２……ＴＶ用出力端子（出力端子）、１３……チューナ間接続用出力端子（出力端子）、４１……分配回路、１４１……増幅器、１４２……第１のバルントランス、１４３……第同期化回路２のバルントランス、１５１……アッテネータ（アッテネータ回路）。
【図１】
2007324875.tif 000003
【図２】
2007324875.tif 000004
【図３】
2007324875.tif 000005
【図４】
2007324875.tif 000006
【図５】
2007324875.tif 000007